(57)【要約】      （修正有）【課題】外れ防止措置をし忘れても、係合部が機器のフックから外れにくいスリングベルトを提供する。【解決手段】鉄製の容器１０２の側面１０２ａに吊り耳１０３が設けられた柱上変圧器１０１を吊るためのスリングベルト１であって、帯状で、吊り耳１０３に係合する環状の係合部１１が両端に設けられ、係合部１１が吊り耳１０３に係合した際に容器１０２の側面１０２ａに磁力によって吸着するスリングベルト用マグネット２が、係合部１１の側縁に設けられている。【選択図】図１
2018090373.tif 000002
【特許請求の範囲】
【請求項１】
鉄製の本体の側面にフックが設けられた機器を吊るためのスリングベルトであって、
帯状で、前記フックに係合する環状の係合部が両端に設けられ、
前記係合部が前記フックに係合した際に前記本体の側面に磁力によって吸着する吸着部が、前記係合部の側縁に設けられている、
ことを特徴とするスリングベルト。
【請求項２】
小片状の前記吸着部が複数設けられている、
ことを特徴とする請求項１に記載のスリングベルト。
【請求項３】
前記吸着部は、前記係合部の側縁に着脱自在となっている、
ことを特徴とする請求項１または２のいずれか１項に記載のスリングベルト。
【請求項４】
帯状で両端に環状の係合部が設けられたスリングベルトに取り付けられるスリングベルト用マグネットであって、
磁力によって吸着するマグネット部と、
前記マグネット部を前記係合部の側縁に取り付ける装着部と、
を備えることを特徴とするスリングベルト用マグネット。
【発明の詳細な説明】
【技術分野】
【０００１】
この発明は、鉄製の本体の側面にフックが設けられた機器を吊るためのスリングベルトと、スリングベルトに取り付けられるスリングベルト用マグネットに関する。
【背景技術】
【０００２】
例えば、電柱上に設置されている変圧器や開閉器などの機器は、取り替えの際に玉掛けワイヤやスリングベルトを使用して、吊り上げや吊り下げが行われる。すなわち、スリングベルトを使用して柱上変圧器を吊る場合、スリングベルトの両端に設けられた環状の係合部を、柱上変圧器の側面に設けられた吊り耳（フック）に係合させ、スリングベルトの中央部をクレーンなどのフックに掛ける。この際、スリングベルトの係合部が柱上変圧器の吊り耳から外れるのを防止するために、係合部をバインド線などで縛っている。
【０００３】
また、トンネルを構成するセグメントを吊る際に、スリングベルトのずれを防止するための固定治具が知られている（例えば、特許文献１参照。）。この固定治具は、スリングベルトを把持する把持部材と、把持部材とセグメントを固定するための円筒状の嵌合部とを備え、セグメントに設けられている孔に嵌合部を嵌合させることで、スリングベルトを固定するものである。
【先行技術文献】
【特許文献】
【０００４】
【特許文献１】特開２０１５−１２０５８３号公報
【発明の概要】
【発明が解決しようとする課題】
【０００５】
ところで、スリングベルトの係合部を柱上変圧器の吊り耳に係合させた際に、係合部をバインド線等で縛るなどの外れ防止措置をし忘れる場合があり、その場合、スリングベルトの係合部が柱上変圧器の吊り耳から外れて、柱上変圧器が落下するおそれがある。特に、係合部を吊り耳に係合させて、その後、手を放してスリングベルトを無張力・フリーの状態にすると、自重によって係合部が吊り耳から外れたりずれたりしてしまい、それに気付かずにクレーンなどで吊った場合に、柱上変圧器を落下させるおそれがある。
【０００６】
また、特許文献１に記載の固定治具では、セグメントに設けられている孔に嵌合部を嵌合させるため、孔が設けられていない変圧器や開閉器などには適用することができない。しかも、固定治具をスリングベルトに取り付けて嵌合部を孔に嵌合させなければならず、手間と時間を要するばかりでなく、バインド線の場合と同様に、固定治具の取り付け（外れ防止措置）をし忘れる場合がある。
【０００７】
そこで本発明は、外れ防止措置をし忘れても、係合部が機器のフックから外れにくいスリングベルトおよび、係合部を機器のフックから外れにくくするスリングベルト用マグネットを提供することを目的とする。
【課題を解決するための手段】
【０００８】
上記課題を解決するために、請求項１の発明は、鉄製の本体の側面にフックが設けられた機器を吊るためのスリングベルトであって、帯状で、前記フックに係合する環状の係合部が両端に設けられ、前記係合部が前記フックに係合した際に前記本体の側面に磁力によって吸着する吸着部が、前記係合部の側縁に設けられている、ことを特徴とする。
【０００９】
請求項２の発明は、請求項１に記載のスリングベルトにおいて、小片状の前記吸着部が複数設けられている、ことを特徴とする。
【００１０】
請求項３の発明は、請求項１または２に記載のスリングベルトにおいて、前記吸着部は、前記係合部の側縁に着脱自在となっている、ことを特徴とする。
【００１１】
請求項４の発明は、帯状で両端に環状の係合部が設けられたスリングベルトに取り付けられるスリングベルト用マグネットであって、磁力によって吸着するマグネット部と、前記マグネット部を前記係合部の側縁に取り付ける装着部と、を備えることを特徴とする。
【発明の効果】
【００１２】
請求項１の発明によれば、スリングベルトの係合部を機器のフックに係合させると、係合部の側縁に設けられた吸着部が磁力によって本体の側面に吸着するため、係合状態が維持されて、係合部がフックから外れにくくなる。このため、係合部をバインド線等で縛るなどの外れ防止措置をし忘れても、係合部がフックから外れるのを効果的に防止することが可能となり、その結果、機器の落下を防止することが可能となる。
【００１３】
しかも、係合部の側縁に吸着部が設けられており、主に荷重がかかる中央部に設けられていないため、係合部の機能（耐荷重性など）に影響を与えることが少ない。また、係合部の側縁に吸着部が設けられているだけの簡易な構成のため、低コストで製作することができるとともに、高い耐久性が得られる。
【００１４】
請求項２の発明によれば、係合部の側縁に小片状の吸着部が複数設けられているため、係合部の変形性や取扱性などが損なわれるのを防止することができるとともに、本体の側面の形状に応じて適正に吸着することができる。この結果、係合部がフックから外れるのをより効果的に防止することが可能となる。
【００１５】
請求項３の発明によれば、係合部の側縁に対して吸着部が着脱自在なため、対象機器や作業環境などに応じて吸着部を取り付けたり取り外したり、あるいは、取付位置を変えたりすることができ、使い勝手がよい。
【００１６】
請求項４の発明によれば、既存・既成のスリングベルトの係合部の側縁に装着部でマグネット部を取り付けると、既存・既成のスリングベルトが請求項１に記載のスリングベルトとなり、外れ防止措置をし忘れても、係合部が機器のフックから外れにくくなる。このように、本スリングベルト用マグネットを取り付けることで、既存・既成のスリングベルトの係合部を機器のフックから外れにくくすることができる。
【図面の簡単な説明】
【００１７】
【図１】この発明の実施の形態に係るスリングベルトの使用状態を示す正面図である。
【図２】図１の係合部周辺を示す拡大図である。
【図３】図１のスリングベルトの正面図（ａ）と平面図（ｂ）である。
【図４】この発明の実施の形態に係るスリングベルト用マグネットを示す正面図（ａ）と、その側面図（ｂ）である。
【図５】この発明の実施の形態における柱上変圧器を示す正面図である。
【発明を実施するための形態】
【００１８】
以下、この発明を図示の実施の形態に基づいて説明する。
【００１９】
図１〜図５は、この発明の実施の形態を示し、図１は、この実施の形態に係るスリングベルト１の使用状態を示す正面図である。このスリングベルト１は、鉄製の本体の側面にフックが設けられた機器を吊るためのベルトであり、この実施の形態では、柱上変圧器１０１を対象機器とする場合について、主として説明する。
【００２０】
まず、柱上変圧器１０１について簡単に説明すると、図５に示すように、鉄製の容器（本体）１０２の上部の側面１０２ａに、逆Ｌ字状の吊り耳（フック）１０３が複数設けられている。すなわち、容器１０２は、有底の筒状体で、上部開口を覆う蓋１０４が設けられ、この蓋１０４が複数の吊り耳１０３によって、開閉自在に容器１０２に連結されている。この吊り耳１０３は、鉄製の略ブロック状で、容器１０２側が凹状に切り欠かれて凹部１０３ａが形成され、この凹部１０３ａに玉掛けワイヤやスリングベルトなどを掛けられるようになっている。
【００２１】
本スリングベルト１は、図３に示すように、帯状で、柱上変圧器１０１の吊り耳１０３に係合する環状の係合部１１が両端に設けられている。すなわち、後述するスリングベルト用マグネット（吸着部）２を備える点を除いて、既存・既成のスリングベルトと同等の構成であり、繊維製・布製の変形自在な帯状体で、両端に吊り輪状の係合部１１が形成され、この係合部１１を吊り耳１０３の凹部１０３ａに掛けられるようになっている。
【００２２】
また、係合部１１が柱上変圧器１０１の吊り耳１０３に係合した際に、容器１０２の側面１０２ａに磁力によって吸着するスリングベルト用マグネット２が、係合部１１の両側縁（側面）１１ａに設けられている。すなわち、図１、図２に示すように、係合部１１は、その幅が横方向・水平方向に延びるように吊り耳１０３に係合し、係合部１１の一方の側縁（厚み方向の面）１１ａが容器１０２の側面１０２ａに対向・当接する。そして、容器１０２の側面１０２ａに当接する係合部１１の側縁１１ａの部位に、スリングベルト用マグネット２が配設されている。
【００２３】
このスリングベルト用マグネット２は、小片状で、係合部１１の側縁１１ａに着脱自在となっている。すなわち、この実施の形態では、既存・既成のスリングベルトにスリングベルト用マグネット２が取り付けられて本スリングベルト１が構成されている。
【００２４】
具体的には、図４に示すように、磁力によって強磁性体に吸着するマグネット体（マグネット部）３と、マグネット体３を係合部１１の側縁１１ａに取り付ける装着体（装着部）４とを備える。
【００２５】
マグネット体３は、永久磁石で構成され、この実施の形態では、やや横長の略直方体で、長手方向の長さが係合部１１の長さに比べて著しく短い（係合部１１の帯幅よりも短い）小片状である。また、マグネット体３の幅Ｗ１は、係合部１１の厚みとほぼ同等で、係合部１１の側縁１１ａに取り付けられた状態で、スリングベルト用マグネット２が係合部１１とほぼ同じ厚みで側縁１１ａに沿って延びるように形成されている。さらに、マグネット体３の高さＷ２は、所定・所望の磁力が得られ、かつ、スリングベルト用マグネット２が係合部１１の側縁１１ａからできるだけ突出しないように設定されている。
【００２６】
装着体４は、金属板で構成され、板状の２つの挟持板４１、４１が対向して配置され、この挟持板４１、４１が板状の仕切り板４２で連結されて、挟持板４１、４１間の空間が２つの空間４３、４４に仕切られている。つまり、側面から見て、２つの挟持板４１、４１と仕切り板４２がＨ字状に配置されて、２つの空間４３、４４が形成されている。そして、第１の空間４３内にマグネット体３が配設され、圧入や接着剤などによって固定されている。
【００２７】
また、第２の空間４４の幅（挟持板４１、４１の間隔）は、係合部１１の厚みとほぼ同寸法に設定され、挟持板４１、４１の第２の空間４４側の端縁には、内側に突出した爪４１ａが形成されている。そして、第２の空間４４に係合部１１の側縁１１ａ側を挿入して、挟持板４１、４１の爪４１ａ側を係合部１１側に押圧することで、爪４１ａが係合部１１に食い込み（かしめられ）、スリングベルト用マグネット２が係合部１１に取り付けられる。一方、挟持板４１、４１の爪４１ａ側を広げてかしめを解除することで、スリングベルト用マグネット２が係合部１１から取り外せる。このようにして、スリングベルト用マグネット２が係合部１１に対して着脱自在となっている。
【００２８】
このようなスリングベルト用マグネット２が係合部１１の側縁１１ａに沿って複数配設され、これにより、係合部１１が吊り耳１０３に係合した際に、係合部１１の側縁１１ａが容器１０２の側面１０２ａに適切に吸着するようになっている。すなわち、係合部１１の変形性や取扱性などが損なわれずに、かつ、係合部１１の側縁１１ａが容器１０２の側面１０２ａに適切に吸着するように、スリングベルト用マグネット２の大きさと配設数、配設位置が設定されている。
【００２９】
ここで、適切に吸着するとは、例えば、本スリングベルト１をクレーンなどで吊っていない無張力・フリーの状態でも、係合部１１の側縁１１ａが容器１０２の側面１０２ａに密着して、係合部１１の吊り耳１０３への係合が適正に維持される状態を意味する。
【００３０】
また、スリングベルト用マグネット２は、図３に示すように、係合部１１の両側縁１１ａ（帯の幅方向の両側縁）に配設されている。これにより、どちらの側縁１１ａを容器１０２側に向けて係合部１１を吊り耳１０３に係合しても、常に、スリングベルト用マグネット２を介して側縁１１ａが容器１０２の側面１０２ａに吸着するものである。
【００３１】
以上のように、本スリングベルト１によれば、係合部１１を柱上変圧器１０１の吊り耳１０３に係合させると、係合部１１の側縁１１ａに配設されたスリングベルト用マグネット２が磁力によって容器１０２の側面１０２ａに吸着するため、係合状態が維持されて、係合部１１が吊り耳１０３から外れにくくなる。このため、係合部１１をバインド線等で縛るなどの外れ防止措置をし忘れても、係合部１１が吊り耳１０３から外れるのを効果的に防止することが可能となり、その結果、柱上変圧器１０１の落下を防止することが可能となる。
【００３２】
しかも、係合部１１の側縁１１ａにスリングベルト用マグネット２が配設されており、主に荷重がかかる中央部に配設されていないため、係合部１１の機能（耐荷重性など）に影響を与えることが少ない。また、係合部１１の側縁１１ａにスリングベルト用マグネット２が取り付けられているだけの簡易な構成のため、低コストで製作することができるとともに、高い耐久性が得られる。
【００３３】
また、係合部１１の側縁１１ａに小片状のスリングベルト用マグネット２が複数設けられているため、係合部１１の変形性や取扱性などが損なわれるのを防止することができるとともに、容器１０２の側面１０２ａの形状に応じて適正に吸着することができる。この結果、係合部１１が吊り耳１０３から外れるのをより効果的に防止することが可能となる。
【００３４】
さらに、係合部１１の側縁１１ａに対してスリングベルト用マグネット２が着脱自在なため、対象機器や作業環境などに応じてスリングベルト用マグネット２を取り付けたり取り外したり、あるいは、取付位置を変えたりすることができ、使い勝手がよい。
【００３５】
一方、既存・既成のスリングベルトの係合部１１の側縁１１ａに装着体４でマグネット体３を取り付けると、既存・既成のスリングベルトが本スリングベルト１となり、外れ防止措置をし忘れても、係合部１１が柱上変圧器１０１の吊り耳１０３から外れにくくなる。このように、スリングベルト用マグネット２を取り付けることで、既存・既成のスリングベルトの係合部１１を吊り耳１０３から外れにくくすることができ、しかも、既存・既成のスリングベルトを有効に活用することができる。
【００３６】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、既存・既成のスリングベルトにスリングベルト用マグネット（吸着部）２を後付けして本スリングベルト１を構成しているが、通常・従来のスリングベルトに吸着部・マグネットを一体的に設けても（内蔵しても）よい。さらに、吸着部を変形自在な磁石で構成し、これを係合部１１の側縁１１ａに沿って配設してもよい。
【００３７】
また、マグネット体（マグネット部）３と装着体（装着部）４が別体となっているが、マグネット部と装着部を一体的に構成してもよい。例えば、磁石のみでマグネット部と装着部を構成してもよい。また、装着体４の挟持板４１、４１の爪４１ａ側を閉じたり広げたりすることで、スリングベルト用マグネット２が係合部１１に対して着脱自在となっているが、その他の構成（例えば、ネジ止め等）によって着脱自在にしてもよい。
【符号の説明】
【００３８】
１        スリングベルト
１１      係合部
１１ａ    側縁
２        スリングベルト用マグネット（吸着部）
３        マグネット体（マグネット部）
４        装着体（装着部）
４１      挟持板
４２      仕切り板
１０１    柱上変圧器（機器）
１０２    容器（本体）
１０２ａ  側面
１０３    吊り耳（フック）
１０３ａ  凹部
【図１】
2018090373.tif 000003
【図２】
2018090373.tif 000004
【図３】
2018090373.tif 000005
【図４】
2018090373.tif 000006
【図５】
2018090373.tif 000007